(57)【要約】【課題】人を人間工学的にリラックスないし入眠させるとともに、ランニングコストを低くし、省電力化を図る。【解決手段】顔面に対する調光照度範囲が高低の関係にある二つの蛍光灯ＦＬ１，ＦＬ２と、これらを点灯する二つの第１，第２点灯回路部と、これらを介して、ＦＬ１，ＦＬ２を導入モードまたはリラックスモード等で点灯制御する制御部とを備え、制御部は、導入モードの場合、第１点灯回路部を介して、蛍光灯ＦＬ１をこの調光照度範囲の上限照度から下限照度に調光して消灯し、第２点灯回路部を介して、蛍光灯ＦＬ２をこの調光照度範囲の上限照度φ６から下限照度φ３に調光する制御と、第２点灯回路部を介して、蛍光灯ＦＬ２をこの調光照度範囲の下限照度φ３から上限照度φ６に調光し、第１点灯回路部を介して、蛍光灯ＦＬ１をこの調光照度範囲の下限照度で点灯して上限照度に調光する制御とを交互に繰り返し実行する。【選択図】  図１
2004327133.tif 000002
【特許請求の範囲】
【請求項１】
同一対象面に対する調光照度範囲がそれぞれ高側および低側の関係にある少なくとも二つの第１，第２蛍光灯と、
これら第１，第２蛍光灯をそれぞれ点灯する少なくとも二つの第１，第２点灯手段と、
これら第１，第２点灯手段を介して、それぞれ前記第１，第２蛍光灯を少なくとも導入モードまたはリラックスモードで点灯制御する制御手段と
を備え、
前記制御手段は、前記導入モードの場合、
前記第１点灯手段を介して、前記第１蛍光灯をこの調光照度範囲の上限照度から下限照度に調光して消灯し、前記第２点灯手段を介して、前記第２蛍光灯をこの調光照度範囲の上限照度から下限照度に調光する制御と、
前記第２点灯手段を介して、前記第２蛍光灯をこの調光照度範囲の下限照度から上限照度に調光し、前記第１点灯手段を介して、前記第１蛍光灯をこの調光照度範囲の下限照度で点灯して上限照度に調光する制御と
を交互に繰り返し実行することを特徴とする照明装置。
【請求項２】
前記制御手段は、前記リラックスモードの場合、前記第２点灯手段を介して、前記第２蛍光灯を、この調光照度範囲内で照度が上下動するように調光する制御を実行することを特徴とする請求項１記載の照明装置。
【請求項３】
前記導入モードの場合、
前記制御手段は、前記第１点灯手段を介して、前記第１蛍光灯を点灯してから消灯するまでの期間、前記第２点灯手段を介して、前記第２蛍光灯をこの調光照度範囲の上限照度の出力で点灯し、
前記第１蛍光灯の下限照度と前記第２蛍光灯の上限照度とによる前記同一対象面に対する合成照度が、前記第２蛍光灯による前記同一対象面に対する上限照度よりも高くなっている
ことを特徴とする請求項１または２記載の照明装置。
【請求項４】
前記導入モードの場合、
前記制御手段は、前記第１点灯手段を介して、前記第１蛍光灯を点灯する時点で、前記第２点灯手段を介して、前記第２蛍光灯をこの調光照度範囲の上限照度から所定照度下げる一方、前記第１点灯手段を介して、前記第１蛍光灯を消灯する時点で、前記第２点灯手段を介して、前記第２蛍光灯をこの調光照度範囲の上限照度に上げ、
前記第１蛍光灯を点灯する時点において、前記第１蛍光灯の下限照度と、前記第２蛍光灯の上限照度から前記所定照度下げた照度とによる前記同一対象面に対する合成照度が、前記第２蛍光灯による前記同一対象面に対する上限照度と等しくなっている
ことを特徴とする請求項１または２記載の照明装置。
【請求項５】
少なくとも二つの第１，第２蛍光灯と、
これら第１，第２蛍光灯をそれぞれ点灯する少なくとも二つの第１，第２点灯手段と、
これら第１，第２点灯手段を介して、前記第１，第２蛍光灯を少なくとも導入モードまたはリラックスモードでそれぞれ点灯制御する制御手段と
を備え、
前記制御手段は、前記導入モードの場合、同一対象面に対する前記導入モード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記基準下限照度になるように調光する制御を実行する
ことを特徴とする照明装置。
【請求項６】
前記制御手段は、前記リラックスモードの場合、前記同一対象面に対する前記リラックスモード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記リラックスモード用の基準下限照度になるように調光する制御を実行することを特徴とする請求項５記載の照明装置。
【請求項７】
少なくとも二つの第１，第２蛍光灯と、
これら第１，第２蛍光灯をそれぞれ点灯する少なくとも二つの第１，第２点灯手段と、
これら第１，第２点灯手段を介して、前記第１，第２蛍光灯を少なくとも導入モードまたはリラックスモードでそれぞれ点灯制御する制御手段と
を備え、
前記制御手段は、前記導入モードの場合、同一対象面に対する前記導入モード用の基準調光照度範囲における基準上限照度から、前記同一対象面に対する前記リラックスモード用の基準調光照度範囲における基準上限照度を引いて基準下限照度を加えて得られる照度と、前記導入モード用の基準調光照度範囲における基準下限照度との範囲内で、照度が上下動するように、前記第１点灯手段を介して前記第１蛍光灯を調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行する
ことを特徴とする照明装置。
【請求項８】
前記制御手段は、前記リラックスモードの場合、前記第１点灯手段を介して前記第１蛍光灯を前記リラックスモード用の基準調光照度範囲における基準下限照度になるように調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行することを特徴とする請求項７記載の照明装置。
【請求項９】
少なくとも一つの蛍光灯と、
この蛍光灯を点灯する少なくとも一つの点灯手段と、
導入モードまたはリラックスモードの場合、消灯を含めながら、同一対象面に対する調光照度範囲で照度が上下動するように、前記点灯手段を介して前記蛍光灯を調光制御する制御手段と
を備え、
前記制御手段は、前記照度を下げる場合、前記調光照度範囲の下限照度に下げた時点で、前記点灯手段を介して前記蛍光灯を消灯する一方、前記照度を上げる場合、前記点灯手段を介して、前記調光照度範囲の下限照度で前記蛍光灯を点灯してその照度を上げる制御を実行する
ことを特徴とする照明装置。
【請求項１０】
少なくとも一つの蛍光灯と、
この蛍光灯を点灯する少なくとも一つの点灯手段と、
導入モードまたはリラックスモードの場合、同一対象面に対する調光照度範囲で照度が上下動するように、前記点灯手段を介して前記蛍光灯を調光制御する制御手段と
を備え、
前記制御手段は、前記導入モードの場合、同一対象面に対する前記導入モード用の上限照度および下限照度の範囲内で、照度が上下動するように、前記点灯手段を介して前記蛍光灯を調光する制御を実行し、
前記上限照度は、前記蛍光灯の定格点灯による前記同一対象面に対する定格点灯照度よりも高い
ことを特徴とする照明装置。
【発明の詳細な説明】
【０００１】
【発明の属する技術分野】
本発明は、照明により人を人間工学的にリラックスないし入眠させるための照明装置に関するものである。
【０００２】
【従来の技術】
図１０に本出願人により別途提案されている照明装置（特願２００１−３０１７０２号）の構成図を示し、図１１に同照明装置の動作説明図を示す。
【０００３】
図１０の照明装置は、消灯状態から１００％（定格）出力まで連続的に調光可能なクリプトン電球などの放電灯ＤＬと、これを調光する制御部３Ｘとにより構成されている。
【０００４】
具体的には、制御部３Ｘは、図１１に示すように、「導入期間」の導入モードでは、放電灯ＤＬによる顔面に対する調光照度（同図では「顔面照度」）がφ１〜φ３の範囲で正弦波状に上下動するように、放電灯ＤＬを調光し、「リラックス期間」のリラックスモードでは、顔面照度がφ２〜φ４の範囲で正弦波状に上下動するように、放電灯ＤＬを調光する。また、制御部３Ｘは、「導入期間」と「リラックス期間」との間に設けられる「遷移期間」の遷移モードでは、顔面照度の変化範囲がφ１〜φ３からφ２〜φ４へとスムーズに遷移するように、放電灯ＤＬを調光する。
【０００５】
また、上記導入期間では、閉眼の状態でも顔面照度の変化に応じて呼吸リズムを整えることができる照明光（輝度）となるように、放電灯ＤＬの調光制御が実行される。リラックス期間では、閉眼の状態にある人がリラックスし易い照明光となるように、放電灯ＤＬの調光制御が実行される。遷移期間は無くても構わないが、図１１のように、導入期間をリラックス期間にスムーズに遷移する遷移期間を設ける方が望ましい。
【０００６】
このような構成の照明装置によれば、閉眼の状態で、図１１の顔面照度に応じて、顔面照度が低い状態から高い状態に変化するときに息を吸うかまたは吐くかし、顔面照度が高い状態から低い状態に変化するときに息を吐くかまたは吸うかして、呼吸リズムを整えれば、容易にリラックス（ないし入眠）することが可能になる。
【０００７】
図１２に複数の蛍光灯ＦＬ２を持つ従来の照明装置の構成図を示す。この従来の照明装置は、複数の低出力用の蛍光灯ＦＬ２と、これらをそれぞれ点灯する複数の点灯回路部２と、これら複数の点灯回路部２を介して複数の蛍光灯ＦＬ２を点灯制御する制御部３Ｙとにより構成されている。
【０００８】
このような構成の照明装置では、制御部３Ｙが各点灯回路部２を介して各蛍光灯ＦＬ２を個別に調光することにより、各照明シーンを設定することを可能としている。
【０００９】
なお、特許文献１には、光刺激によって就寝者を心地よく目覚めさせることができるとともに、不安感や不快感を与えることのない照明装置が開示されている。
【００１０】
【特許文献１】
特開２００１−２８４０６５号公報
【００１１】
【発明が解決しようとする課題】
図１０，図１１に示した照明装置では、部屋用の主照明として使用するには、放電灯ＤＬを数灯使用しなければならず、この場合、照明装置の寸法が大きくなるばかりか、デザイン性にも問題が生じ、初期投資コストも高くなる。特に、ランニングコストを低くし、省電力化を図ることは困難である。
【００１２】
一方、図１２に示した従来の照明装置では、各照明シーンを設定することが可能になるものの、図１０，図１１に示した照明装置のように、人を人間工学的にリラックスないし入眠させるために使用することができない。
【００１３】
また、図１０，図１１に示した照明装置の構成に対して、図１２に示した照明装置の構成を付加した場合にも、照明装置の寸法が大きくなる。
【００１４】
本発明は、上記事情に鑑みてなされたものであり、人を人間工学的にリラックスないし入眠させることが可能であるとともに、ランニングコストを低くし、省電力化を図ることができる照明装置を提供することを目的とする。
【００１５】
【課題を解決するための手段】
上記課題を解決するための請求項１記載の発明の照明装置は、同一対象面に対する調光照度範囲がそれぞれ高側および低側の関係にある少なくとも二つの第１，第２蛍光灯と、これら第１，第２蛍光灯をそれぞれ点灯する少なくとも二つの第１，第２点灯手段と、これら第１，第２点灯手段を介して、それぞれ前記第１，第２蛍光灯を少なくとも導入モードまたはリラックスモードで点灯制御する制御手段とを備え、前記制御手段は、前記導入モードの場合、前記第１点灯手段を介して、前記第１蛍光灯をこの調光照度範囲の上限照度から下限照度に調光して消灯し、前記第２点灯手段を介して、前記第２蛍光灯をこの調光照度範囲の上限照度から下限照度に調光する制御と、前記第２点灯手段を介して、前記第２蛍光灯をこの調光照度範囲の下限照度から上限照度に調光し、前記第１点灯手段を介して、前記第１蛍光灯をこの調光照度範囲の下限照度で点灯して上限照度に調光する制御とを交互に繰り返し実行することを特徴とする。
【００１６】
請求項２記載の発明は、請求項１記載の照明装置において、前記制御手段は、前記リラックスモードの場合、前記第２点灯手段を介して、前記第２蛍光灯を、この調光照度範囲内で照度が上下動するように調光する制御を実行することを特徴とする。
【００１７】
請求項３記載の発明は、請求項１または２記載の照明装置において、前記導入モードの場合、前記制御手段は、前記第１点灯手段を介して、前記第１蛍光灯を点灯してから消灯するまでの期間、前記第２点灯手段を介して、前記第２蛍光灯をこの調光照度範囲の上限照度の出力で点灯し、前記第１蛍光灯の下限照度と前記第２蛍光灯の上限照度とによる前記同一対象面に対する合成照度が、前記第２蛍光灯による前記同一対象面に対する上限照度よりも高くなっていることを特徴とする。
【００１８】
請求項４記載の発明は、請求項１または２記載の照明装置において、前記導入モードの場合、前記制御手段は、前記第１点灯手段を介して、前記第１蛍光灯を点灯する時点で、前記第２点灯手段を介して、前記第２蛍光灯をこの調光照度範囲の上限照度から所定照度下げる一方、前記第１点灯手段を介して、前記第１蛍光灯を消灯する時点で、前記第２点灯手段を介して、前記第２蛍光灯をこの調光照度範囲の上限照度に上げ、前記第１蛍光灯を点灯する時点において、前記第１蛍光灯の下限照度と、前記第２蛍光灯の上限照度から前記所定照度下げた照度とによる前記同一対象面に対する合成照度が、前記第２蛍光灯による前記同一対象面に対する上限照度と等しくなっていることを特徴とする。
【００１９】
請求項５記載の発明の照明装置は、少なくとも二つの第１，第２蛍光灯と、これら第１，第２蛍光灯をそれぞれ点灯する少なくとも二つの第１，第２点灯手段と、これら第１，第２点灯手段を介して、前記第１，第２蛍光灯を少なくとも導入モードまたはリラックスモードでそれぞれ点灯制御する制御手段とを備え、前記制御手段は、前記導入モードの場合、同一対象面に対する前記導入モード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記基準下限照度になるように調光する制御を実行することを特徴とする。
【００２０】
請求項６記載の発明は、請求項５記載の照明装置において、前記制御手段は、前記リラックスモードの場合、前記同一対象面に対する前記リラックスモード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記リラックスモード用の基準下限照度になるように調光する制御を実行することを特徴とする。
【００２１】
請求項７記載の発明の照明装置は、少なくとも二つの第１，第２蛍光灯と、これら第１，第２蛍光灯をそれぞれ点灯する少なくとも二つの第１，第２点灯手段と、これら第１，第２点灯手段を介して、前記第１，第２蛍光灯を少なくとも導入モードまたはリラックスモードでそれぞれ点灯制御する制御手段とを備え、前記制御手段は、前記導入モードの場合、同一対象面に対する前記導入モード用の基準調光照度範囲における基準上限照度から、前記同一対象面に対する前記リラックスモード用の基準調光照度範囲における基準上限照度を引いて基準下限照度を加えて得られる照度と、前記導入モード用の基準調光照度範囲における基準下限照度との範囲内で、照度が上下動するように、前記第１点灯手段を介して前記第１蛍光灯を調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行することを特徴とする。
【００２２】
請求項８記載の発明は、請求項７記載の照明装置において、前記制御手段は、前記リラックスモードの場合、前記第１点灯手段を介して前記第１蛍光灯を前記リラックスモード用の基準調光照度範囲における基準下限照度になるように調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行することを特徴とする。
【００２３】
請求項９記載の発明の照明装置は、少なくとも一つの蛍光灯と、この蛍光灯を点灯する少なくとも一つの点灯手段と、導入モードまたはリラックスモードの場合、消灯を含めながら、同一対象面に対する調光照度範囲で照度が上下動するように、前記点灯手段を介して前記蛍光灯を調光制御する制御手段とを備え、前記制御手段は、前記照度を下げる場合、前記調光照度範囲の下限照度に下げた時点で、前記点灯手段を介して前記蛍光灯を消灯する一方、前記照度を上げる場合、前記点灯手段を介して、前記調光照度範囲の下限照度で前記蛍光灯を点灯してその照度を上げる制御を実行することを特徴とする。
【００２４】
請求項１０記載の発明の照明装置は、少なくとも一つの蛍光灯と、この蛍光灯を点灯する少なくとも一つの点灯手段と、導入モードまたはリラックスモードの場合、同一対象面に対する調光照度範囲で照度が上下動するように、前記点灯手段を介して前記蛍光灯を調光制御する制御手段とを備え、前記制御手段は、前記導入モードの場合、同一対象面に対する前記導入モード用の上限照度および下限照度の範囲内で、照度が上下動するように、前記点灯手段を介して前記蛍光灯を調光する制御を実行し、前記上限照度は、前記蛍光灯の定格点灯による前記同一対象面に対する定格点灯照度よりも高いことを特徴とする。
【００２５】
【発明の実施の形態】
（第１実施形態）
図１は本発明による第１実施形態の照明装置の動作説明図、図２は同照明装置の構成図、図３は図２中の点灯回路部の構成図である。ただし、図１において、導入期間における顔面照度変化の周期の方が、リラックス期間における顔面照度変化の周期よりも若干短い。
【００２６】
第１実施形態の照明装置は、図２に示すように、同一対象面となる顔面に対する調光照度範囲がそれぞれ高低の関係にある蛍光灯ＦＬ１，ＦＬ２と、これら蛍光灯ＦＬ１，ＦＬ２をそれぞれ点灯する点灯回路部１，２と、これら点灯回路部１，２を介して、それぞれ蛍光灯ＦＬ１，ＦＬ２を、導入モード、遷移モードまたはリラックスモードで点灯制御する制御部３とを、図示しない照明器具に備えている。なお、蛍光灯ＦＬ１，ＦＬ２はそれぞれ高出力および低出力用である。
【００２７】
点灯回路部１，２の各々は、図３に示すように、入力電流歪みの抑制機能を持つ直流電源１０（ＰＦＣ）と、自己の蛍光灯（ＦＬ１またはＦＬ２）を高周波点灯するインバータ１１とにより構成されている。
【００２８】
直流電源１０は、商用交流電源ＡＣの交流電圧を直流電圧に全波整流するダイオードブリッジＤＢと、インダクタとしてのチョークＬ１、スイッチング素子Ｑ１（図では逆接続の寄生ダイオードを持つＭＯＳ型ＦＥＴ）および平滑コンデンサＣ１などによりなるチョッパとにより構成され、スイッチング素子Ｑ１が、制御部３により、平滑コンデンサＣ１の両端電圧の検出結果などを基にオン／オフされるようになっている。なお、スイッチング素子Ｑ１のドレインおよび平滑コンデンサＣ１の正極端子間には、ダイオードのアノードおよびカソードがそれぞれ直列に介設される。
【００２９】
上記構成の直流電源１０では、スイッチング素子Ｑ１がオンになると、商用交流電源ＡＣから、ダイオードブリッジＤＢ、チョークＬ１、スイッチング素子Ｑ１、ダイオードブリッジＤＢの経路に、入力電流が流れる。この後、スイッチング素子Ｑ１がオフになると、商用交流電源ＡＣから、ダイオードブリッジＤＢ、チョークＬ１、平滑コンデンサＣ１、ダイオードブリッジＤＢの経路に、入力電流が流れるとともに、チョークＬ１に蓄積されたエネルギーが平滑コンデンサＣ１に放出される。このようなスイッチング素子Ｑ１のオン／オフにより、平滑コンデンサＣ１の両端電圧が商用交流電源ＡＣの電圧により所望の電圧になる。
【００３０】
インバータ１１は、直列のスイッチング素子Ｑ２，Ｑ３（図では逆接続の寄生ダイオードを持つＭＯＳ型ＦＥＴ）を平滑コンデンサＣ１と並列接続して備えるとともに、それらスイッチング素子Ｑ２，Ｑ３の一方（図ではＱ３）の両端間に直列に接続される共振用のインダクタＬ２、自己の蛍光灯および直流カット用のコンデンサＣ２と、上記蛍光灯の非電源側の両フィラメント間に接続される共振用のコンデンサＣ３とを備え、スイッチング素子Ｑ２，Ｑ３が、制御部３によりオン／オフされるようになっている。
【００３１】
上記構成のインバータ１１では、スイッチング素子Ｑ２がオンとなり、スイッチング素子Ｑ３がオフとなる期間を設けると、インバータ１１の電源となる平滑コンデンサＣ１から、スイッチング素子Ｑ２、インダクタＬ２、蛍光灯（コンデンサＣ３）、コンデンサＣ２の経路に、共振電流が流れる。
【００３２】
この後、スイッチング素子Ｑ２がオフとなり、スイッチング素子Ｑ３がオンとなる期間を設けると、エネルギーを蓄積したインダクタＬ２から、蛍光灯（コンデンサＣ３）、コンデンサＣ２、スイッチング素子Ｑ３（寄生ダイオード）の経路に、回生電流が流れる。そして、回生電流がなくなると、インダクタＬ２からエネルギーを受けたコンデンサＣ２から、蛍光灯（コンデンサＣ３）、インダクタＬ２、スイッチング素子Ｑ３の経路に、共振電流が流れる。
【００３３】
この後、スイッチング素子Ｑ２がオンとなり、スイッチング素子Ｑ３がオフとなる期間を設けると、エネルギーを蓄積したインダクタＬ２から、蛍光灯（コンデンサＣ３）、コンデンサＣ２、スイッチング素子Ｑ３の寄生ダイオードの経路に、回生電流が流れる。そして、回生電流がなくなると、インダクタＬ２、スイッチング素子Ｑ２（寄生ダイオード）、平滑コンデンサＣ１、コンデンサＣ２、蛍光灯（コンデンサＣ３）の経路に、回生電流が流れる。この後、平滑コンデンサＣ１から、スイッチング素子Ｑ２、インダクタＬ２、蛍光灯（コンデンサＣ３）、コンデンサＣ２の経路に、共振電流が流れる。
【００３４】
このようなスイッチング素子Ｑ１，Ｑ２のオン／オフにより、蛍光灯に高周波電力が供給される。
【００３５】
制御部３は、例えばマイコン（マイクロコンピュータ）、半導体記憶装置（ＲＡＭ，ＲＯＭなど）およびこの半導体記憶装置に記憶されたプログラムなどにより構成され、点灯回路部１，２に照明制御信号を出力することにより、スイッチング周波数やデューティを変化させて、平滑コンデンサＣ１の電圧およびランプ電流を調整するように、スイッチング素子Ｑ１〜Ｑ３のオン／オフ制御をする機能を従来と同様に有しているほか、第１実施形態の特徴として、図１に示すように、人を人間工学的にリラックスさせるべく、蛍光灯ＦＬ１，ＦＬ２による顔面照度の制御をする機能を有している。
【００３６】
以下、制御部３により実行される導入モード、リラックスモードおよび遷移モードの各制御内容について詳述する。
【００３７】
「導入期間」の導入モードでは、点灯回路部１を介して、蛍光灯ＦＬ１をこの調光照度範囲の上限照度（例えば定格出力時の照度）から下限照度に調光して消灯し、点灯回路部２を介して、蛍光灯ＦＬ２をこの調光照度範囲の上限照度φ６（例えば定格出力時の照度）から下限照度φ３に調光する制御と、点灯回路部２を介して、蛍光灯ＦＬ２をこの調光照度範囲の下限照度φ３から上限照度φ６に調光し、点灯回路部１を介して、蛍光灯ＦＬ１をこの調光照度範囲の下限照度で点灯して上限照度に調光する制御とが繰り返し実行される。なお、蛍光灯ＦＬ１の定格出力時の照度はφ１以上でもよく、蛍光灯ＦＬ２の定格出力時の照度はφ６以上でもよい。
【００３８】
また、点灯回路部１を介して、蛍光灯ＦＬ１を点灯してから消灯するまでの期間、点灯回路部２を介して、蛍光灯ＦＬ２をこの調光照度範囲の上限照度φ６の出力（光出力）で点灯する制御が実行される。したがって、図１の例では、制御部３は、蛍光灯ＦＬ１をこの調光照度範囲の上限照度から下限照度に調光する場合、蛍光灯ＦＬ１，ＦＬ２による合成照度がφ１からφ５へと正弦波状に下降するように制御する一方、蛍光灯ＦＬ１をこの調光照度範囲の下限照度から上限照度に調光する場合、蛍光灯ＦＬ１，ＦＬ２による合成照度がφ５からφ１へと正弦波状に上昇するように制御することになる。
【００３９】
そして、蛍光灯ＦＬ１の下限照度と蛍光灯ＦＬ２の上限照度φ６とによる顔面に対する合成照度φ５が、蛍光灯ＦＬ２による顔面に対する上限照度φ６よりも高くなっている。なお、蛍光灯ＦＬ１による顔面に対する調光照度範囲の下限照度は、例えば、φ５〜φ６の間のφ６になっている。
【００４０】
上記導入モードの制御により、図１に示すように、ｔ１時点で上限照度で点灯している蛍光灯ＦＬ１が、下限照度になるように照度を下げる。このとき、蛍光灯ＦＬ１，ＦＬ２による合成照度がφ１からφ５へと正弦波状に下降する。そして、蛍光灯ＦＬ１の下限照度に下がり、この下限照度と蛍光灯ＦＬ２の上限照度φ６とによる合成照度がφ５になると、蛍光灯ＦＬ１が消灯する（ｔ２時点）。これにより、顔面照度は、合成照度φ５から蛍光灯ＦＬ２によるφ６の照度に切り替わる。この後、蛍光灯ＦＬ２が、φ３の顔面照度になるように照度を正弦波状に下げる。
【００４１】
顔面照度がφ３になると（ｔ３時点）、蛍光灯ＦＬ２が、φ６の顔面照度になるように照度を正弦波状に上げる。顔面照度がφ６になると、蛍光灯ＦＬ２はφ６の照度となる出力で点灯を維持する一方、蛍光灯ＦＬ１は下限照度となる出力で点灯する（ｔ４時点）。このとき、蛍光灯ＦＬ１の下限照度と蛍光灯ＦＬ２の上限照度φ６とによる顔面に対する合成照度がφ５となる。
【００４２】
この後、蛍光灯ＦＬ１が、上限照度になるように照度を下げる。このとき、蛍光灯ＦＬ１，ＦＬ２による合成照度がφ５からφ１へと正弦波状に上昇する。そして、顔面照度がφ１になると（ｔ５時点）、上記ｔ１時点以降と同様の動作が繰り返し実行される。
【００４３】
このようなリラックスを目的とした導入期間で、利用者に必要とされる顔面照度となるように、蛍光灯ＦＬ１，ＦＬ２の出力が制御される。
【００４４】
「リラックス期間」のリラックスモードでは、点灯回路部２を介して、蛍光灯ＦＬ２を、この調光照度範囲内で照度が上下動するように調光する制御が実行される。図１の例では、蛍光灯ＦＬ２は、リラックスモードの制御により、φ２〜φ４の顔面照度で正弦波状に変化するように点灯している。
【００４５】
「遷移期間」の遷移モードでは、蛍光灯ＦＬ１，ＦＬ２の出力を調整することにより、導入モード用の顔面照度の範囲φ１〜φ３を、一定の割合で縮小しながら、その範囲の下限照度が照度φ３から照度φ４へと下がるように、リラックスモード用の顔面照度の範囲φ２〜φ４に遷移させるための制御が実行される。また、縮小中の顔面照度の範囲における上限照度が、φ５〜φ６の顔面照度の範囲に入る場合、点灯回路部１を介して蛍光灯ＦＬ１を消灯するとともに、点灯回路部２を介して蛍光灯ＦＬ２をこの調光照度範囲の上限照度φ６となる出力で点灯させる制御が実行される。
【００４６】
上記遷移モードの制御により、図１に示すように、φ１〜φ３の顔面照度の範囲が、一定の割合で縮小しながら、φ２〜φ４の顔面照度の範囲に遷移する。このとき、時点ｔ６以前では、蛍光灯ＦＬ１，ＦＬ２の双方が動作し、時点ｔ８以降では、蛍光灯ＦＬ２が動作する。また、ｔ７〜ｔ８の期間では、縮小中の顔面照度の範囲における上限照度が、φ５〜φ６の顔面照度の範囲に入るため、蛍光灯ＦＬ１が消灯し、蛍光灯ＦＬ２が例えば定格出力による上限照度φ６で点灯する。
【００４７】
一般に、蛍光灯が使用される構成では、蛍光灯の出力を消灯状態から連続的に上げていくことは高い技術を必要とする難しさがあり、照明装置自体のコストアップの要因ともなるが、第１実施形態によれば、φ５〜φ６の間で顔面照度が急激に変化する期間が生じるものの、人を人間工学的にリラックスないし入眠させるための従来の点灯制御（図１１参照）に近似した点灯制御が可能となる。これにより、図１の顔面照度に応じて呼吸リズムを整えれば、容易にリラックスすることが可能になる。
【００４８】
また、顔面に対する調光照度範囲がそれぞれ高低の関係にある高出力用の蛍光灯ＦＬ１および低出力用の蛍光灯ＦＬ２を使用することにより、調光の変化の割合が最も大きい導入モードでも、蛍光灯による調光が可能となる。これにより、ランニングコスト（電気代など）を低くし、省電力化を実現することができる。
【００４９】
また、本照明装置を主照明として使用する場合、蛍光灯ＦＬ１，ＦＬ２をリラックス用および主照明用に兼用することができるので、図１０，図１１に示した照明装置の構成に対して、図１２に示した照明装置の構成を付加した場合よりも小型化が可能になる。
【００５０】
さらに、蛍光灯ＦＬ２により、最小顔面照度を実現することができ、点灯回路部２にかかるコストを下げ、制御部３の制御プログラムを簡単にすることができる。
【００５１】
なお、第１実施形態では、蛍光灯ＦＬ１，ＦＬ２の定格出力が異なる構成を例示したが、同じ定格出力でも構わない。
【００５２】
また、蛍光灯ＦＬ１，ＦＬ２の２灯を備える構成になっているが、これに限らず、例えば、顔面に対する調光照度範囲がそれぞれ高中低の関係にある３灯の蛍光灯を備え、第１実施形態では２区分であった構成を３区分となる構成にしてもよい。この場合、２（＝３−１）箇所に急激な顔面照度の変化が生じるが、上記従来の点灯制御に近似した点灯制御が可能となる。要するに、３灯以上をも含む少なくとも二つの蛍光灯を備える構成であればよい。
【００５３】
さらに、第１実施形態の顔面照度の制御に代えて、顔面照度を下げる場合は、蛍光灯ＦＬ１，ＦＬ２をそれぞれ上限照度から下限照度に下げ、続いて蛍光灯ＦＬ１を消灯するとともに蛍光灯ＦＬ２を上限照度に上げ、続いて蛍光灯ＦＬ２を下限照度に下げるようにし、顔面照度を上げる場合は、蛍光灯ＦＬ２を下限照度から上限照度に上げ、続いて蛍光灯ＦＬ１を下限照度にするとともに蛍光灯ＦＬ２を下限照度に下げ、続いて蛍光灯ＦＬ１，ＦＬ２をそれぞれ上限照度に上げるようにしてもよい。
【００５４】
（第２実施形態）
図４は本発明による第２実施形態の照明装置の動作説明図である。ただし、図４において、導入期間における顔面照度変化の周期の方が、リラックス期間における顔面照度変化の周期よりも若干短い。
【００５５】
第２実施形態の照明装置は、第１実施形態との相違点として、図４に示すように、導入モードの場合、制御部３が、点灯回路部１を介して、蛍光灯ＦＬ１をこの調光照度範囲の下限照度（例えばφ５〜φ６間の照度）で点灯する時点で、点灯回路部２を介して、蛍光灯ＦＬ２をこの調光照度範囲の上限照度φ５から所定照度Δφ下げて照度φ６の出力に維持する一方、点灯回路部１を介して、蛍光灯ＦＬ１をこの調光照度範囲の下限照度で消灯する時点で、点灯回路部２を介して、蛍光灯ＦＬ２をこの調光照度範囲の上限照度φ５に上げるようになっている。なお、蛍光灯ＦＬ１の調光照度範囲の下限照度をφ５以上としてもよい。
【００５６】
そして、蛍光灯ＦＬ１を点灯する時点では、蛍光灯ＦＬ１の下限照度と、蛍光灯ＦＬ２の上限照度φ５から所定照度Δφ下げた照度φ６とによる顔面に対する合成照度φ５が、蛍光灯ＦＬ２による顔面に対する上限照度φ５と等しくなっている。
【００５７】
次に上記構成の照明装置の動作について説明する。ただし、リラックスモードの動作は第１実施形態と同様であるので、導入モードおよび遷移モードについて説明する。
【００５８】
図４において、導入モードのｔ１時点で、蛍光灯ＦＬ１は消灯している一方、蛍光灯ＦＬ２はφ６の顔面照度となる出力で点灯している。この後、蛍光灯ＦＬ２が、顔面照度φ５に対応する定格点灯照度になるように照度を正弦波状に上げる。
【００５９】
蛍光灯ＦＬ２による顔面照度がφ５になると、蛍光灯ＦＬ１が、この調光照度範囲の下限照度で点灯するとともに、蛍光灯ＦＬ２が、この調光照度範囲の上限照度φ５から所定照度Δφ下げた照度φ６となる出力で点灯する（ｔ２時点）。このとき、蛍光灯ＦＬ１の下限照度と、蛍光灯ＦＬ２の上限照度φ５から所定照度Δφ下げた照度φ６とによる顔面に対する合成照度がφ５となる。つまり、蛍光灯ＦＬ２による上限照度φ５から蛍光灯ＦＬ１，ＦＬ２による合成照度φ５に移るのである。
【００６０】
この後、蛍光灯ＦＬ１が照度を上げ下げし、蛍光灯ＦＬ１の調光照度範囲の下限照度に再度下降し、その下限照度と、蛍光灯ＦＬ２の上限照度φ５から所定照度Δφ下げた照度φ６とによる顔面に対する合成照度がφ５となると、蛍光灯ＦＬ１が消灯するとともに、蛍光灯ＦＬ２がこの調光照度範囲の上限照度φ５に上げた出力で点灯（定格点灯）する。つまり、蛍光灯ＦＬ１，ＦＬ２による合成照度φ５から蛍光灯ＦＬ２による上限照度φ５に移るのである。
【００６１】
この後、蛍光灯ＦＬ２が、顔面照度φ５に対応する定格点灯照度から、φ３の顔面照度になるように照度を正弦波状に下げる。顔面照度がφ３になると、蛍光灯ＦＬ２が、φ５の顔面照度になるように照度を正弦波状に上げる。以下、同様な動作が繰り返される。なお、ｔ４時点は、顔面照度がφ６となる時点である。
【００６２】
遷移モードの場合、φ１〜φ３の顔面照度の範囲が、一定の割合で縮小しながら、その範囲の下限照度が照度φ３から照度φ４へと下がるように、φ２〜φ４の顔面照度の範囲に遷移する。ｔ５〜ｔ６の期間では、縮小中の顔面照度の範囲における上限照度が、φ５〜φ６の顔面照度の範囲に入るが、第２実施形態では蛍光灯ＦＬ２が点灯している。
【００６３】
以上、第２実施形態によれば、第１実施形態と同様の効果が得られるほか、顔面照度が急激に変化する期間が生じなくなるので、人を人間工学的にリラックスないし入眠させるための従来の点灯制御と同様の点灯制御が可能となる。
【００６４】
（第３実施形態）
図５は本発明による第３実施形態の照明装置の動作説明図である。ただし、図５の上段において、導入期間における顔面照度変化の周期の方が、リラックス期間における顔面照度変化の周期よりも若干短い。
【００６５】
第３実施形態の照明装置は、第１実施形態の図２と同様に構成され、人を人間工学的にリラックスさせるべく、高出力用の蛍光灯ＦＬ１および低出力用の蛍光灯ＦＬ２による顔面照度の制御をする機能が第１実施形態と相違している。
【００６６】
すなわち、制御部３は、図５に示すように、導入モードの場合、顔面に対する導入モード用の基準調光照度範囲（ここでは図１１のφ１〜φ３）における基準上限照度φ１から基準下限照度φ３を引いて得られる照度φ１−φ３と、零照度との範囲内で、照度が上下動するように、点灯回路部１を介して蛍光灯ＦＬ１を調光するとともに、点灯回路部２を介して、蛍光灯ＦＬ２を照度が上記基準下限照度φ３になるように調光する制御を実行する。図では、照度φ１−φ３と零照度との範囲内で、照度が正弦波状に上下動するように制御されている。
【００６７】
リラックスモードの場合、顔面に対するリラックスモード用の基準調光照度範囲（ここでは図１１のφ２〜φ４）における基準上限照度φ２から基準下限照度φ４を引いて得られる照度φ２−φ４と、零照度との範囲内で、照度が上下動するように、点灯回路部１を介して蛍光灯ＦＬ１を調光するとともに、点灯回路部２を介して、蛍光灯ＦＬ２を照度がリラックスモード用の基準下限照度φ４になるように調光する制御が実行される。
【００６８】
遷移モードの場合、蛍光灯ＦＬ１の出力を調整することにより、導入モード用の照度φ１−φ３および零照度の範囲を、一定の割合で縮小しながら、リラックスモード用の照度φ２−φ４および零照度の範囲に遷移させるとともに、蛍光灯ＦＬ２の出力を調整することにより、導入モード用の照度φ３をリラックスモード用の照度φ４に連続的に下げる制御が実行される。
【００６９】
上記のように蛍光灯ＦＬ１，ＦＬ２を制御することにより、図５の上下の顔面照度を合成して得られる顔面照度を、図１１の顔面照度に合わせることが可能となるから、その顔面照度に応じて呼吸リズムを整えれば、容易にリラックスすることが可能になる。また、蛍光灯ＦＬ１，ＦＬ２を使用することにより、ランニングコストを低くし、省電力化を実現することができる。
【００７０】
（第４実施形態）
図６は本発明による第４実施形態の照明装置の動作説明図である。ただし、図６において、導入期間における顔面照度変化の周期の方が、リラックス期間における顔面照度変化の周期よりも若干短い。
【００７１】
第４実施形態の照明装置は、第１実施形態の図２と同様に構成され、人を人間工学的にリラックスさせるべく、高出力用の蛍光灯ＦＬ１および低出力用の蛍光灯ＦＬ２による顔面照度の制御をする機能が第１実施形態と相違している。
【００７２】
すなわち、制御部３は、図６に示すように、導入モードの場合、顔面に対する導入モード用の基準調光照度範囲（ここでは図１１のφ１〜φ３）における基準上限照度φ１から、顔面に対するリラックスモード用の基準調光照度範囲（ここでは図１１のφ２〜φ４）における基準上限照度φ２を引いて基準下限照度φ４を加えて得られる照度φ１−φ２＋φ４と、導入モード用の基準調光照度範囲における基準下限照度φ３との範囲内で、照度が上下動するように、点灯回路部１を介して蛍光灯ＦＬ１を調光するとともに、リラックスモード用の基準調光照度範囲における基準上限照度φ２から基準下限照度φ４を引いて得られる照度φ２−φ４と、零照度との範囲内で、照度が上下動するように、点灯回路部２を介して蛍光灯ＦＬ２を調光する制御を実行する。図では、照度φ１−φ２＋φ４と照度φ３との範囲内で、照度が矩形波状に上下動するように制御されている一方、照度φ２−φ４と零照度との範囲内で、照度が正弦波状に上下動するように制御されている。なお、上記矩形波は、台形波または三角波でもよい。
【００７３】
リラックスモードの場合、点灯回路部１を介して、蛍光灯ＦＬ１を、リラックスモード用の基準調光照度範囲における基準下限照度φ４になるように調光するとともに、リラックスモード用の基準調光照度範囲における基準上限照度φ２から基準下限照度φ４を引いて得られる照度φ２−φ４と、零照度との範囲内で、照度が上下動するように、点灯回路部２を介して蛍光灯ＦＬ２を調光する制御が実行される。図では、照度φ２−φ４と零照度との範囲内で、照度が正弦波状に上下動するように制御されている。
【００７４】
遷移モードの場合、蛍光灯ＦＬ１の出力を調整することにより、導入モード用の照度φ１−φ２＋φ４および照度φ３の範囲を、一定の割合で縮小しながら、その範囲の下限照度が照度φ３から照度φ４へと下がるように、照度φ４に遷移させるとともに、蛍光灯ＦＬ２の出力を調整することにより、照度φ２−φ４と零照度との範囲内で照度が上下動する状態を維持する制御が実行される。
【００７５】
上記のように蛍光灯ＦＬ１，ＦＬ２を制御することにより、図６の上下の顔面照度を合成して得られる顔面照度を、図１１の顔面照度に合わせることが可能となるから、その顔面照度に応じて呼吸リズムを整えれば、容易にリラックスすることが可能になる。また、蛍光灯ＦＬ１，ＦＬ２を使用することにより、ランニングコストを低くし、省電力化を実現することができる。
【００７６】
（第５実施形態）
図７は本発明による第５実施形態の照明装置の構成図、図８は同照明装置の動作説明図である。ただし、図８において、導入期間における顔面照度変化の周期の方が、リラックス期間における顔面照度変化の周期よりも若干短い。
【００７７】
第５実施形態の照明装置は、図７に示すように、蛍光灯ＦＬと、この蛍光灯ＦＬを点灯する点灯回路部１Ａと、導入モード、遷移モードまたはリラックスモードの場合、消灯を含めながら、顔面に対する調光照度範囲で照度が上下動するように、点灯回路部１Ａを介して蛍光灯ＦＬを点灯制御する制御部３Ａとを、図示しない照明器具に備えている。なお、点灯回路部１Ａは、例えば第１実施形態の点灯回路部と同様に構成される。
【００７８】
制御部３Ａは、例えばマイコン、半導体記憶装置およびこの半導体記憶装置に記憶されたプログラムなどにより構成され、第１実施形態と同様に、点灯回路部１Ａの各スイッチング素子のオン／オフ制御をする機能を有しているほか、人を人間工学的にリラックスさせるべく、蛍光灯ＦＬによる顔面照度の制御をする機能を、第１実施形態との相違点として有している。
【００７９】
すなわち、制御部３Ａは、図８に示すように、半波の正弦波状に照度を下げる場合、調光照度範囲φ１〜φ７の下限照度φ７に下げた時点（例えばｔ１時点）で、点灯回路部１Ａを介して蛍光灯ＦＬを消灯する一方、半波の正弦波状に照度を上げる場合、点灯回路部１Ａを介して、調光照度範囲の下限照度φ７となる出力で蛍光灯ＦＬを点灯して（例えばｔ２時点）、その照度を上げる制御を実行する。
【００８０】
導入モードでは、消灯を含めながら、顔面照度がφ１〜φ７の範囲で上下動するように、点灯回路部１Ａを介して蛍光灯ＦＬを調光する制御がなされる。リラックスモードでは、消灯を含めながら、顔面照度がφ２〜φ７の範囲で上下動するように、点灯回路部１Ａを介して蛍光灯ＦＬを調光する制御がなされる。遷移モードでは、消灯を含めながら、φ１〜φ７の範囲が、一定の割合で縮小しながらφ２〜φ７の範囲に遷移するように、点灯回路部１Ａを介して蛍光灯ＦＬを調光する制御がなされる。
【００８１】
また、下限照度φ７は、図１１の導入モード用の調光照度範囲の下限照度φ３およびリラックスモード用の調光照度範囲の下限照度φ４よりも高めに設定されている。
【００８２】
上記のように蛍光灯ＦＬを制御することにより、図８の顔面照度を、図１１の顔面照度に近似させることができるから、その顔面照度に応じて呼吸リズムを整えれば、容易にリラックスすることが可能になる。また、蛍光灯ＦＬを使用することにより、ランニングコストを低くし、省電力化を実現することができる。さらに小型化・薄型化が可能となり、デザインを良くすることができる。
【００８３】
なお、第５実施形態では、蛍光灯が１灯設けられる構成になっているが、蛍光灯を複数灯設けて上記制御を行っても問題はない。
【００８４】
また、第１実施形態と同様に蛍光灯ＦＬ１，ＦＬ２を備える場合、第５実施形態の顔面照度の制御に代えて、顔面照度を下げる場合は、蛍光灯ＦＬ１，ＦＬ２をそれぞれ上限照度から下限照度に下げ、続いて蛍光灯ＦＬ１を消灯するとともに蛍光灯ＦＬ２を上限照度に上げ、続いて蛍光灯ＦＬ２を消灯し、顔面照度を上げる場合は、蛍光灯ＦＬ２を消灯から下限照度に上げ、続いて蛍光灯ＦＬ１，ＦＬ２をそれぞれ下限照度にし、続いて蛍光灯ＦＬ１，ＦＬ２をそれぞれ上限照度に上げるようにしてもよい。
【００８５】
（第６実施形態）
図９は本発明による第６実施形態の照明装置の動作説明図である。ただし、図９において、導入期間における顔面照度変化の周期の方が、リラックス期間における顔面照度変化の周期よりも若干短い。
【００８６】
第６実施形態の照明装置は、第５実施形態の図７と同様に構成され、人を人間工学的にリラックスさせるべく、蛍光灯ＦＬによる顔面照度の制御をする機能が第５実施形態と相違している。
【００８７】
すなわち、制御部３Ａは、図９に示すように、導入モード、遷移モードまたはリラックスモードの場合、顔面に対する調光照度範囲φ１〜φ４で照度が上下動するように、点灯回路部１Ａを介して蛍光灯ＦＬを調光制御する。
【００８８】
そして、第６実施形態の特徴として、制御部３Ａは、導入モードの場合、顔面に対する導入モード用の上限照度φ１および下限照度φ３の範囲内で、照度が正弦波状に上下動するように、点灯回路部１Ａを介して蛍光灯ＦＬを調光する制御を行い、上限照度φ１が、蛍光灯ＦＬの定格点灯による顔面に対する定格点灯照度φ１０よりも高くなるように設計されている。
【００８９】
このように、上限照度φ１が、蛍光灯ＦＬの定格点灯による顔面に対する定格点灯照度φ１０よりも高くなるようにすることにより、導入モード、遷移モードおよびリラックスモードの各モードで蛍光灯ＦＬを使用することができるので、小型化・薄型化が可能となり、デザインを良くすることができる。
【００９０】
また、図９の顔面照度に応じて呼吸リズムを整えれば、容易にリラックスすることが可能になる。さらに、蛍光灯ＦＬを使用することにより、ランニングコストを低くし、省電力化を実現することができる。
【００９１】
【発明の効果】
以上のことから明らかなように、請求項１記載の発明は、同一対象面に対する調光照度範囲がそれぞれ高側および低側の関係にある少なくとも二つの第１，第２蛍光灯と、これら第１，第２蛍光灯をそれぞれ点灯する少なくとも二つの第１，第２点灯手段と、これら第１，第２点灯手段を介して、それぞれ前記第１，第２蛍光灯を少なくとも導入モードまたはリラックスモードで点灯制御する制御手段とを備え、前記制御手段は、前記導入モードの場合、前記第１点灯手段を介して、前記第１蛍光灯をこの調光照度範囲の上限照度から下限照度に調光して消灯し、前記第２点灯手段を介して、前記第２蛍光灯をこの調光照度範囲の上限照度から下限照度に調光する制御と、前記第２点灯手段を介して、前記第２蛍光灯をこの調光照度範囲の下限照度から上限照度に調光し、前記第１点灯手段を介して、前記第１蛍光灯をこの調光照度範囲の下限照度で点灯して上限照度に調光する制御とを交互に繰り返し実行するので、人を人間工学的にリラックスないし入眠させるための点灯制御が可能となるとともに、ランニングコストを低くし、省電力化を図ることができる。
【００９２】
請求項２記載の発明は、請求項１記載の照明装置において、前記制御手段は、前記リラックスモードの場合、前記第２点灯手段を介して、前記第２蛍光灯を、この調光照度範囲内で照度が上下動するように調光する制御を実行するので、人を人間工学的にリラックスないし入眠させることができるようになる。
【００９３】
請求項３記載の発明は、請求項１または２記載の照明装置において、前記導入モードの場合、前記制御手段は、前記第１点灯手段を介して、前記第１蛍光灯を点灯してから消灯するまでの期間、前記第２点灯手段を介して、前記第２蛍光灯をこの調光照度範囲の上限照度の出力で点灯し、前記第１蛍光灯の下限照度と前記第２蛍光灯の上限照度とによる前記同一対象面に対する合成照度が、前記第２蛍光灯による前記同一対象面に対する上限照度よりも高くなっているので、同一対象面に対する照度が急激に変化する期間が生じるものの、人を人間工学的にリラックスないし入眠させるための従来の点灯制御に近似した点灯制御が可能となる。
【００９４】
請求項４記載の発明は、請求項１または２記載の照明装置において、前記導入モードの場合、前記制御手段は、前記第１点灯手段を介して、前記第１蛍光灯を点灯する時点で、前記第２点灯手段を介して、前記第２蛍光灯をこの調光照度範囲の上限照度から所定照度下げる一方、前記第１点灯手段を介して、前記第１蛍光灯を消灯する時点で、前記第２点灯手段を介して、前記第２蛍光灯をこの調光照度範囲の上限照度に上げ、前記第１蛍光灯を点灯する時点において、前記第１蛍光灯の下限照度と、前記第２蛍光灯の上限照度から前記所定照度下げた照度とによる前記同一対象面に対する合成照度が、前記第２蛍光灯による前記同一対象面に対する上限照度と等しくなっているので、人を人間工学的にリラックスないし入眠させるための好適な点灯制御が可能となる。
【００９５】
請求項５記載の発明は、少なくとも二つの第１，第２蛍光灯と、これら第１，第２蛍光灯をそれぞれ点灯する少なくとも二つの第１，第２点灯手段と、これら第１，第２点灯手段を介して、前記第１，第２蛍光灯を少なくとも導入モードまたはリラックスモードでそれぞれ点灯制御する制御手段とを備え、前記制御手段は、前記導入モードの場合、同一対象面に対する前記導入モード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記基準下限照度になるように調光する制御を実行するので、人を人間工学的にリラックスないし入眠させるための点灯制御が可能となるとともに、ランニングコストを低くし、省電力化を図ることができる。
【００９６】
請求項６記載の発明は、請求項５記載の照明装置において、前記制御手段は、前記リラックスモードの場合、前記同一対象面に対する前記リラックスモード用の基準調光照度範囲における基準上限照度から基準下限照度を引いて得られる照度と、零照度との範囲内で、照度が上下動するように、前記第１点灯手段を介して前記第１蛍光灯を調光するとともに、前記第２点灯手段を介して、前記第２蛍光灯を照度が前記リラックスモード用の基準下限照度になるように調光する制御を実行するので、人を人間工学的にリラックスないし入眠させることができるようになる。
【００９７】
請求項７記載の発明は、少なくとも二つの第１，第２蛍光灯と、これら第１，第２蛍光灯をそれぞれ点灯する少なくとも二つの第１，第２点灯手段と、これら第１，第２点灯手段を介して、前記第１，第２蛍光灯を少なくとも導入モードまたはリラックスモードでそれぞれ点灯制御する制御手段とを備え、前記制御手段は、前記導入モードの場合、同一対象面に対する前記導入モード用の基準調光照度範囲における基準上限照度から、前記同一対象面に対する前記リラックスモード用の基準調光照度範囲における基準上限照度を引いて基準下限照度を加えて得られる照度と、前記導入モード用の基準調光照度範囲における基準下限照度との範囲内で、照度が上下動するように、前記第１点灯手段を介して前記第１蛍光灯を調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行するので、人を人間工学的にリラックスないし入眠させるための点灯制御が可能となるとともに、ランニングコストを低くし、省電力化を図ることができる。
【００９８】
請求項８記載の発明は、請求項７記載の照明装置において、前記制御手段は、前記リラックスモードの場合、前記第１点灯手段を介して前記第１蛍光灯を前記リラックスモード用の基準調光照度範囲における基準下限照度になるように調光するとともに、前記リラックスモード用の基準調光照度範囲における基準上限照度から基準下限照度を引いて得られる照度と、零照度との範囲内で、照度が上下動するように、前記第２点灯手段を介して前記第２蛍光灯を調光する制御を実行するので、人を人間工学的にリラックスないし入眠させることができるようになる。
【００９９】
請求項９記載の発明は、少なくとも一つの蛍光灯と、この蛍光灯を点灯する少なくとも一つの点灯手段と、導入モードまたはリラックスモードの場合、消灯を含めながら、同一対象面に対する調光照度範囲で照度が上下動するように、前記点灯手段を介して前記蛍光灯を調光制御する制御手段とを備え、前記制御手段は、前記照度を下げる場合、前記調光照度範囲の下限照度に下げた時点で、前記点灯手段を介して前記蛍光灯を消灯する一方、前記照度を上げる場合、前記点灯手段を介して、前記調光照度範囲の下限照度で前記蛍光灯を点灯してその照度を上げる制御を実行するので、人を人間工学的にリラックスないし入眠させるための点灯制御が可能となるとともに、ランニングコストを低くし、省電力化を図ることができる。
【０１００】
請求項１０記載の発明は、少なくとも一つの蛍光灯と、この蛍光灯を点灯する少なくとも一つの点灯手段と、導入モードまたはリラックスモードの場合、同一対象面に対する調光照度範囲で照度が上下動するように、前記点灯手段を介して前記蛍光灯を調光制御する制御手段とを備え、前記制御手段は、前記導入モードの場合、同一対象面に対する前記導入モード用の上限照度および下限照度の範囲内で、照度が上下動するように、前記点灯手段を介して前記蛍光灯を調光する制御を実行し、前記上限照度は、前記蛍光灯の定格点灯による前記同一対象面に対する定格点灯照度よりも高いので、人を人間工学的にリラックスないし入眠させるための点灯制御が可能となるとともに、ランニングコストを低くし、省電力化を図ることができる。
【図面の簡単な説明】
【図１】本発明による第１実施形態の照明装置の動作説明図である。
【図２】同照明装置の構成図である。
【図３】図２中の点灯回路部の構成図である。
【図４】本発明による第２実施形態の照明装置の動作説明図である。
【図５】本発明による第３実施形態の照明装置の動作説明図である。
【図６】本発明による第４実施形態の照明装置の動作説明図である。
【図７】本発明による第５実施形態の照明装置の構成図である。
【図８】同照明装置の動作説明図である。
【図９】本発明による第６実施形態の照明装置の動作説明図である。
【図１０】本出願人により別途提案されている照明装置の構成図である。
【図１１】同照明装置の動作説明図である。
【図１２】複数の蛍光灯を持つ従来の照明装置の構成図である。
【符号の説明】
ＦＬ１，ＦＬ２，ＦＬ  蛍光灯
１，２，１Ａ  点灯回路部
３，３Ａ  制御部
【図１】
2004327133.tif 000003
【図２】
2004327133.tif 000004
【図３】
2004327133.tif 000005
【図４】
2004327133.tif 000006
【図５】
2004327133.tif 000007
【図６】
2004327133.tif 000008
【図７】
2004327133.tif 000009
【図８】
2004327133.tif 000010
【図９】
2004327133.tif 000011
【図１０】
2004327133.tif 000012
【図１１】
2004327133.tif 000013
【図１２】
2004327133.tif 000014